(57)【要約】【課題】未熟練者による施工も可能であり、工期が短縮され、コストダウンを図ることができる建築物を提供する。【解決手段】所定の形状に予め形成された基礎３と、該基礎３を建築現場に固定する固定手段５と、該基礎３上に固定された上部構造体７とよりなる建築物１。建築物にはコンクリートを打設してなる土間２５を設ける。基礎３は、鋼等の金属、合成樹脂、合成樹脂を用いたＦＲＰ等の複合材料、コンクリート、ゴム等の材料により工場等の製造場所で建築物１に適した形状に予め形成される。【選択図】図１
0003200525.tif 000002
【実用新案登録請求の範囲】
【請求項１】
所定の形状に予め形成された基礎と、該基礎を建築現場に固定する固定手段と、該基礎上に固定された上部構造体とよりなる建築物。
【請求項２】
コンクリートを打設してなる土間を設けたことを特徴とする請求項１に記載の建築物。 
【考案の詳細な説明】
【技術分野】
【０００１】
本考案は、例えば車庫（ガレージ）、物置、バンガロー、或いはアパートその他の建築物に関するものである。
【背景技術】
【０００２】
建築物は、例えば特開２０００−２３４４４８号公報に示すように、一般に、建築物を建築すべき現場にてコンクリート又はコンクリートブロックを用いて基礎を形成し、養生した後、該基礎上に上部構造体を固定してなるものである。以下、このような建築物を「従来の建築物」という。
【先行技術文献】
【特許文献】
【０００３】
【特許文献１】特開２０００−２３４４４８号公報
【考案の概要】
【考案が解決しようとする課題】
【０００４】
しかるに、従来の建築物は、建築物を建築すべき現場にてコンクリート又はコンクリートブロックを用いて基礎を形成し、養生した後、該基礎上に上部構造体を固定してなるものであるため、基礎の形成には熟練した作業員が必要であり、養生期間も長い。したがって、従来の建築物は、人件費を含むコストが嵩み、工期が長くなるという問題がある。
【０００５】
本考案は、従来の建築物における上述の如き問題を解決し、未熟練者による施工も可能であり、工期が短縮され、コストダウンを図ることができる建築物を提供しようとしてなされたものである。
【課題を解決するための手段】
【０００６】
上記課題を解決するために、本考案は、下記の建築物を提供するものである。
【０００７】
（１）所定の形状に予め形成された基礎と、該基礎を建築現場に固定する固定手段と、該基礎上に固定された上部構造体とよりなる建築物（請求項１）。本考案において「所定の形状に予め形成された基礎」とは、工場等の製造場所で建築物に適する形状に予め形成された基礎をいうものとする。
【０００８】
（２）コンクリートを打設してなる土間を設ける（請求項２）。
【考案の効果】
【０００９】
［請求項１の考案］
請求項１の考案によれば、建築物の基礎は、工場等の製造場所で建築物に適する形状に予め形成されているため、作業員は基礎自体の形成作業や養生を行う必要がなく、作業員は単に基礎を建築現場に固定手段により固定した後、該基礎上に建築物本体部たる上部構造体を固定すればよい。すなわち、作業員は熟練者である必要がなく、基礎自体の養生も不要であり、建築物を建築する工期が短縮される。その結果、基礎の品質は常時確保され、建築物の建築に要するコストを削減することができる。
【００１０】
［請求項２の考案］
請求項２の考案によれば、建築物にはコンクリートを打設してなる土間を設けたため、この建築物は特に車庫として好ましく使用される。
【図面の簡単な説明】
【００１１】
【図１】図１は、本考案による建築物の一例を示す正面図である。
【図２】図２は、同上建築物において、地面に形成した基礎固定用溝を示す断面図である。
【図３】図３は、同上基礎固定用溝に基礎を配設した状態を示す断面図である。
【図４】図４は、同上基礎固定用溝に基礎を配設した状態を示す平面図である。
【図５】図５は、同上基礎固定用溝に基礎を固定した状態を示す断面図である。
【図６】図６は、基礎の別の一例を示す平面図である。
【図７】図７は、本考案による建築物の別の一例を示す正面図である。
【図８】図８は、同上建築物において、コンクリート上に基礎を配設した状態を示す断面図である。
【図９】図９は、コンクリート上に基礎を配設した状態を示す平面図である。
【図１０】図１０は、コンクリート上に基礎を固定した状態を示す断面図である。
【考案を実施するための形態】
【００１２】
本考案による建築物１は、所定の形状に予め形成された基礎３と、該基礎３を建築現場に固定する固定手段５と、該基礎３上に固定された建築物本体部たる上部構造体７とよりなるものである。
【００１３】
基礎３は、鋼等の金属、合成樹脂、合成樹脂を用いたＦＲＰ等の複合材料、コンクリート、ゴム等の材料により工場等の製造場所で建築物１に適した形状に予め形成される。
【００１４】
基礎３は、固定手段５により建築現場に固定される。建築現場に固定された基礎３上に建築物１の上部構造体７が固定される。
【００１５】
建築物１を表面にコンクリートが打設されていない建築現場に設ける場合について、図１〜図５を参照して説明する。
【００１６】
まず、建築現場の地面１１に基礎固定用溝１３を基礎３の形状に対応させて削成する（図２、図４参照）。該基礎固定用溝１３に基礎３を嵌める（図３、図４参照。）
【００１７】
基礎固定用溝１３に嵌めた基礎３を固定手段５により該基礎固定用溝１３に固定する。基礎３を基礎固定用溝１３に固定する固定手段５として、一例としてコンクリート５ａを基礎固定用溝１３内に打設する。また、固定手段５として、アンカーボルト５ｂを用いてもよい。
【００１８】
図５における符号１５に示すものは、基礎３の高さを調整するための高さ調整手段である。該高さ調整手段１５は、接地させた基板１７上に雄ねじ杆１９を突設し、基礎３内には雌ねじ体２１を固定し、該雄ねじ杆１９を該雌ねじ体２１に螺合させてなるものである。
【００１９】
基礎３を固定手段５により基礎固定用溝１３に固定した後、該基礎３上に建築物１の上部構造体７を固定する。すなわち、一例として、基礎３上にボルト２３を突設し、該ボルト２３により上部構造体７の土台７ａを基礎３上に固定する。
【００２０】
建築物１が車庫である場合には、該建築物１内の地面にコンクリートを打設してなる土間２５を設ける（図１参照）。
【００２１】
図６に示すものは、建築物１が物置である場合の基礎３’の一例を示す。
【００２２】
次に、建築物１を表面にコンクリート２７が打設されている建築現場に設ける場合について、図７〜図１０を参照して説明する。
【００２３】
表面にコンクリート２７が打設されている建築現場に基礎３を配置し、該基礎３を固定手段５により建築現場のコンクリート２７に固定する。固定手段５としては、一例として接着系アンカー５ｃを用いる。
【００２４】
基礎３を固定手段５により建築現場のコンクリート２７に固定した後、該基礎３上に建築物１の上部構造体７を固定する。すなわち、一例として、基礎３上にボルト２３を突設し、該ボルト２３により上部構造体７の土台７ａを基礎３上に固定する。
【００２５】
建築物１が車庫である場合には、一例として、建築現場のコンクリート２７に各シャッターレール３１の下端３１ａを受ける下端受け穴３３を形成し、各下端受け穴３３に各シャッターレール３１の下端３１ａを位置させた状態で該下端受け穴３３に受け穴コンクリート３５を打設することにより、各シャッターレール３１の下端３１ａを固定する。
【符号の説明】
【００２６】
１  建築物
３  基礎
３’  基礎
５  固定手段
５ａ  コンクリート
５ｂ  アンカーボルト
５ｃ  接着系アンカー
７  上部構造体
７ａ  土台
１１  地面
１３  基礎固定用溝
１５  高さ調整手段
１７  基板
１９  雄ねじ杆
２１  雌ねじ体
２３  ボルト
２５  土間
２７  コンクリート
３１  シャッターレール
３１ａ  下端
３３  下端受け穴
３５  受け穴コンクリート
【図１】
0003200525.tif 000003
【図２】
0003200525.tif 000004
【図３】
0003200525.tif 000005
【図４】
0003200525.tif 000006
【図５】
0003200525.tif 000007
【図６】
0003200525.tif 000008
【図７】
0003200525.tif 000009
【図８】
0003200525.tif 000010
【図９】
0003200525.tif 000011
【図１０】
0003200525.tif 000012